(57)【要約】【課題】壁面にネジ止めされる壁付けホルダにおいて、電子機器が不要となって電子機器のホルダを壁面から取り外した場合に、ネジ孔が露出することによって意匠性が低下することを防止する。【解決手段】リモコン（６）が取り付けられるリモコン取付部（５０）と、リモコンとは異なる電子機器（８）が取り付けられる電子機器取付部（７０）と、を備える壁付けホルダ（１０）において、壁面Ｗにねじ込まれるネジ（６３）が挿通される貫通孔（６２）を、リモコン取付部に取り付けられた状態のリモコンで隠れる領域にのみ形成する。【選択図】図１１
2019082010.tif 000002
【特許請求の範囲】
【請求項１】
リモコンが取り付けられるリモコン取付部と、
前記リモコンとは異なる電子機器が取り付けられる電子機器取付部と、を備え、
壁面にねじ込まれるネジを貫通させる貫通孔が、前記リモコン取付部に取り付けられた状態のリモコンで隠れる領域にのみ形成されていることを特徴とする壁付けホルダ。
【請求項２】
前記電子機器取付部を有する電子機器取付部材は、前記リモコン取付部を有するリモコン取付部材とは別体であり、前記リモコン取付部材に対して着脱自在であることを特徴とする請求項１に記載の壁付けホルダ。
【請求項３】
前記電子機器取付部材は、前記リモコン取付部材に対してネジ止めされることを特徴とする請求項２に記載の壁付けホルダ。
【請求項４】
前記リモコン取付部の前記電子機器取付部側の側板部には、断面形状が円形の挿通孔が形成されており、
前記電子機器取付部の前記リモコン取付部側の側面には、前記リモコン取付部側に突出した円筒部が設けられており、
前記円筒部の内周には、前記リモコン取付部材と前記電子機器取付部材が合体した状態において、前記挿通孔と同軸状に整合する雌ネジ部が形成されていることを特徴とする請求項３に記載の壁付けホルダ。
【請求項５】
前記電子機器取付部を有する電子機器取付部材は、前記リモコン取付部を有するリモコン取付部材とは別体であり、
前記リモコン取付部材には、前記貫通孔としての第１貫通孔が形成されており、
前記電子機器取付部材は、前記電子機器取付部が前記リモコン取付部材の側方に配置された状態で、前記電子機器取付部側から前記リモコン取付部材側に延びる延設部を有しており、
前記延設部には、前記貫通孔としての第２貫通孔が、前記電子機器取付部が前記リモコン取付部材の側方に配置された状態における前記第１貫通孔と前後方向に並ぶ位置に形成されていることを特徴とする請求項１に記載の壁付けホルダ。
【請求項６】
請求項１ないし請求項５のうち何れかに記載の壁付けホルダと、
前記リモコンと、
前記電子機器とを備えたことを特徴とするリモコン装置。
【請求項７】
請求項１ないし請求項５のうち何れかに記載の壁付けホルダと、
前記リモコンと、
前記電子機器と、
便器本体と便座を有する便器装置と、
前記便器装置に付帯して設けられ、前記リモコンによって遠隔操作される電動装置とを備えていることを特徴とするトイレ装置。
【発明の詳細な説明】
【技術分野】
【０００１】
本発明は壁付けホルダ、リモコン装置、及びトイレ装置に関するものである。
【背景技術】
【０００２】
特許文献１には従来の壁付けホルダが開示されている。この壁付けホルダには、壁面にねじ込まれるネジを貫通させる貫通孔が形成されており、この貫通孔に貫通されたネジのねじ込みにより壁面に固定される。こうして固定された壁付けホルダにリモコンを取り付けることで、リモコンを壁面に取り付けることができる。
【先行技術文献】
【特許文献】
【０００３】
【特許文献１】特開２０１２−１０９７０１号公報
【発明の概要】
【発明が解決しようとする課題】
【０００４】
近年、リモコン以外の電子機器も増加傾向にあり、こうした電子機器についてもリモコンと同様に壁面に取り付けることが求められている。そこで、こうした電子機器についても、リモコンと同様に壁付けホルダを利用して壁面に取り付けることが考えられる。しかし、電子機器が不要となって電子機器を壁付けホルダとともに取り外すと、この壁付けホルダを壁面にネジ止めするために形成された壁側のネジ孔が露出して、意匠性が低下してしまう。
【０００５】
本発明は、上記従来の実情に鑑みてなされたものであって、リモコンと電子機器を取り付けるために壁面にネジ止めされる壁付けホルダにおいて、電子機器が不要となった場合に、壁面にネジ孔が露出することによる意匠性の低下を防止することを解決すべき課題としている。
【課題を解決するための手段】
【０００６】
第１の発明の壁付けホルダは、
リモコンが取り付けられるリモコン取付部と、
前記リモコンとは異なる電子機器が取り付けられる電子機器取付部と、を備え、
壁面にねじ込まれるネジを貫通させる貫通孔が、前記リモコン取付部に取り付けられた状態のリモコンで隠れる領域にのみ形成されていることを特徴とする。
第２の発明のリモコン装置は、
第１の発明の壁付けホルダと、
前記リモコンと、
前記電子機器とを備えていることを特徴とする。
第３の発明のトイレ装置は、
第１の発明の壁付けホルダと、
前記リモコンと、
前記電子機器と、
便器本体と便座を有する便器装置と、
前記便器装置に付帯して設けられ、前記リモコンによって遠隔操作される電動装置とを備えていることを特徴する。
【０００７】
この壁付けホルダは、貫通孔に貫通されたネジのねじ込みにより壁面に固定される。貫通孔はリモコン取付部に取り付けられた状態のリモコンで隠れる領域にのみ形成されているので、壁側に形成されたネジ孔もリモコンで隠れる領域のみに限定される。したがって、電子機器が不要となってリモコン取付部から電子機器取付部を分離させた場合、あるいはリモコン専用のホルダに取り換えた場合であっても、壁側にはネジ孔が露出せず、意匠性が低下するおそれはない。
【図面の簡単な説明】
【０００８】
【図１】実施例１において、トイレ室内の壁面に壁付けホルダが取り付けられた状態の概観図である。
【図２】リモコンの正面図である。
【図３】リモコンの左側面図である。
【図４】リモコンの背面図である。
【図５】血管年齢測定器の正面図である。
【図６】血管年齢測定器の左側面図である。
【図７】血管年齢測定器の背面図である。
【図８】壁付けホルダの分解斜視図である。
【図９】壁付けホルダにリモコン及び血管年齢測定器が取り付けられる様子を示した斜視図である。
【図１０】壁付けホルダにリモコン及び血管年齢測定器が取り付けられた状態の斜視図である。
【図１１】リモコンによってネジ孔が隠されている様子を概念的に示した説明図であって、（Ａ）は電子機器取付部材がリモコン取付部材に固定された状態を示した概略正面図であり、（Ｂ）は電子機器取付部材がリモコン取付部材から取り外された状態を示した概略正面図である。
【図１２】実施例２の血管年齢測定器の正面図である。
【図１３】実施例２の血管年齢測定器の背面図である。
【図１４】実施例２の壁付けホルダの分解斜視図である。
【図１５】実施例２の壁付けホルダにおいてリモコン取付部材と電子機器取付部材とを合体させた状態を示した斜視図である。
【図１６】実施例２のリモコンによってネジ孔が隠されている様子を概念的に示した説明図であって、（Ａ）は電子機器取付部材がリモコン取付部材とともに壁面に固定された状態を示した概略正面図であり、（Ｂ）は壁付けホルダのうちリモコン取付部材のみが壁面に固定された状態を示した概略正面図である。
【図１７】実施例３の壁付けホルダの斜視図である。
【図１８】実施例３のリモコン専用ホルダの斜視図である。
【図１９】実施例３のリモコンによってネジ孔が隠されている様子を概念的に示した説明図であって、（Ａ）は壁付けホルダが壁面に固定された状態を示した概略正面図であり、（Ｂ）はリモコン専用ホルダが壁面に固定された状態を示した概略正面図である。
【発明を実施するための形態】
【０００９】
本発明における好ましい実施の形態を説明する。
【００１０】
本発明の壁付けホルダにおいて、前記電子機器取付部を有する電子機器取付部材は、前記リモコン取付部を有するリモコン取付部材とは別体であり、前記リモコン取付部材に対して着脱自在とすることが好ましい。こうすれば、電子機器の必要の有無に応じて、電子機器取付部材を着脱することができる。
【００１１】
本発明の壁付けホルダにおいて、前記電子機器取付部材は、前記リモコン取付部材に対してネジ止めされることが好ましい。こうすれば、電子機器取付部材をリモコン取付部材に対して容易に着脱することができる。
【００１２】
本発明の壁付けホルダにおいて、前記リモコン取付部の前記電子機器取付部側の側板部には、断面形状が円形の挿通孔が形成されており、前記電子機器取付部における前記リモコン取付部側の側面には、前記リモコン取付部側に突出した円筒部が設けられており、前記円筒部の内周には、前記リモコン取付部材と前記電子機器取付部材が合体した状態において、前記挿通孔と同軸状に整合する雌ネジ部が形成されていてもよい。こうすれば、電子機器取付部材がリモコン取付部材にネジ止めされる際、円筒部の内側において螺合されるので、ネジが電子機器取付部の内側まで進入することによって、電子機器と干渉することを防止することができる。
【００１３】
本発明の壁付けホルダにおいて、前記電子機器取付部を有する電子機器取付部材は、前記リモコン取付部を有するリモコン取付部材とは別体であり、前記リモコン取付部材には、前記貫通孔としての第１貫通孔が形成されており、前記電子機器取付部材は、前記電子機器取付部が前記リモコン取付部材の側方に配置された状態で、前記電子機器取付部側から前記リモコン取付部材側に延びる延設部を有しており、前記延設部には、前記貫通孔としての第２貫通孔が、前記電子機器取付部が前記リモコン取付部材の側方に配置された状態における前記第１貫通孔と前後方向に並ぶ位置に形成されていることが好ましい。こうすれば、リモコン取付部材を壁面にネジ止めする作業工程において電子機器取付部材の壁面への取付を同時に行うことができる。また、電子機器取付部材が不要な場合には、リモコン取付部材だけを壁面にネジ止めすることができる。
【００１４】
次に、本発明の壁付けホルダを具体化した実施例１について、図１〜図１１を参照しつつ説明する。
【００１５】
＜実施例１＞
実施例１の壁付けホルダ１０は、図１に示すように、トイレ室の壁面Ｗに取り付けられるものであり、壁付けホルダ１０を介してリモコン６と血管年齢測定器８が壁面Ｗに取り付けられるようになっている。なお、血管年齢測定器８が本発明の「電子機器」に相当する。トイレ室には、便器装置２と、便器装置２に付帯する電動装置３とが設置されている。また、壁面Ｗにはトイレットペーパーホルダ４が固定され、トイレットペーパーホルダ４にはトイレットペーパー５が取り付けられている。なお、壁付けホルダ１０、リモコン６及び血管年齢測定器８によって、リモコン装置９が構成されている。また、リモコン装置９、便器装置２及び電動装置３によって、トイレ装置１が構成されている。
【００１６】
以下では、壁付けホルダ１０が固定される壁面Ｗに向かって手前側を前方、奥側を後方、左側を左方、右側を右方として説明する。
【００１７】
便器装置２は、便器本体２Ａと便座２Ｂを有している。電動装置３としては、例えば、シャワーノズル３Ａや、便器洗浄装置（図示省略）等が設けられている。シャワーノズル３Ａは、便座２Ｂに着座した使用者の局部に向けて吐水するシャワー処理を実行し得る。便器洗浄装置（図示省略）は、便器本体２Ａに洗浄水を供給して便器本体２Ａを洗浄する洗浄処理を実行し得る。
【００１８】
リモコン６は、電動装置３を遠隔操作する装置である。リモコン６は、図２〜図４に示すように、ケース１１と、操作部１４と、表示部１６とを有している。ケース１１は、例えば合成樹脂製であり、前ケース部１２と後ケース部１３とを有している。
【００１９】
前ケース部１２は、背面が大きく開口した箱状をなしており、その開口端部は後ケース部１３に連続している。前ケース部１２は正面視で左右方向に長い略長方形状である。前ケース部１２の奥行は、前ケース部１２の高さよりも小さい。前ケース部１２の前面は少し上方を向くように傾いている。前ケース部１２の前面には開口部が形成されている。この開口部には操作部１４及び表示部１６が設けられている。
【００２０】
操作部１４は、電動装置３を遠隔操作するために操作されるものであり、例えば複数のプッシュ式のボタン等で構成されている。操作部１４は、機能的には、便器洗浄装置（図示省略）に対して洗浄処理を実行させるために操作する洗浄操作部や、シャワーノズル３Ａに対してシャワー処理を開始させるために操作するシャワー開始操作部、シャワーノズル３Ａに対しシャワー処理を停止させるために操作するシャワー停止操作部等から構成されている。表示部１６は、例えば液晶表示器であり、時刻や、電動装置３の設定状態（例えばシャワーの水勢の設定状態など）を示す設定情報等を表示する。
【００２１】
前ケース部１２の上面及び左右側面は、前面の上端縁及び左右両端縁から後方へ延びている。前ケース部１２の下面は、前面の下端縁から後方に向けて下方に傾斜している。前ケース部１２の背面は、前面と同じ傾きで傾斜している。
【００２２】
後ケース部１３は、底板部１３Ａと、背板部１３Ｂと、左側板部１３Ｃと、右側板部１３Ｄと、前板部１３Ｅと、上蓋部１３Ｆとを有している。底板部１３Ａは、後ケース部１３の底面を構成している。底板部１３Ａは、平面視で左右方向に長い長方形状である。
【００２３】
背板部１３Ｂは、底板部１３Ａの後端縁から略直角に起立している。背板部１３Ｂは背面視で左右方向に長い長方形状である。背板部１３Ｂの後面には、４つの凹部１３Ｉが形成されている。凹部１３Ｉは左右方向に並べて形成されている。凹部１３Ｉは、背面視で上下方向に長い長方形状である。凹部１３Ｉは背板部１３Ｂの下端から上方に延びている。凹部１３Ｉの上端は背板部１３Ｂの上下方向中央よりも上方まで延びている。
【００２４】
左右側板部１３Ｃ，１３Ｄは、底板部１３Ａの左右両端縁からそれぞれ略直角に起立している。左右側板部１３Ｃ，１３Ｄの後端縁は、背板部１３Ｂの左右両端縁に連続している。右側板部１３Ｄは、後述するネジ８６のネジ頭と干渉しないように内側に窪んでいる点を除いて、左側板部１３Ｃと左右対称の形状である。左右側板部１３Ｃ，１３Ｄは、側面視で、上端縁及び下端縁が水平方向に平行であり、後端縁が上端縁及び下端縁に直交しており、前端縁の大部分が前方に向けて下るように傾斜した略台形状をなしている。左右側板部１３Ｃ，１３Ｄの前端部における傾斜部分の傾きは、前ケース部１２の前面及び背面の傾きと同じである。左右側板部１３Ｃ，１３Ｄの前後幅は、左右側板部１３Ｃ，１３Ｄの高さよりも小さい。
【００２５】
左右側板部１３Ｃ，１３Ｄの外面の後端部には、上下方向に延びる溝部１３Ｇが形成されている。溝部１３Ｇは左右側板部１３Ｃ，１３Ｄの下端縁から上方に向けて延びている。左右側板部１３Ｃ，１３Ｄの溝部１３Ｇの後側には、左右方向外側に突出して上下方向に延びるスライド部１３Ｈが形成されている。スライド部１３Ｈは、リブ状であり、左右側板部１３Ｃ，１３Ｄの下端縁から上方に向けて延びている。左右側板部１３Ｃ，１３Ｄの前端部における傾斜部分は、前ケース部１２の背面に形成された開口端部の左右両端に連続している。
【００２６】
前板部１３Ｅは、底板部１３Ａの前端縁から略直角に起立している。前板部１３Ｅは、正面視で左右方向に長い長方形状である。前板部１３Ｅの上端の高さ位置は、背板部１３Ｂの上端の高さ位置よりも低い。前板部１３Ｅの左右両端縁は、左右側板部１３Ｃ，１３Ｄの前端縁の傾斜していない部分に連続している。前板部１３Ｅの上端縁は、前ケース部１２の背面に形成された開口端部の下端に連続している。
【００２７】
上蓋部１３Ｆは、背板部１３Ｂ及び左右側板部１３Ｃ，１３Ｄの上側に連続して設けられている。上蓋部１３Ｆは、背板部１３Ｂ及び左右側板部１３Ｃ，１３Ｄの上端縁全体に亘り、背板部１３Ｂの後面より後方に突出し、左右側板部１３Ｃ，１３Ｄの外面より左右方向外側に突出している。上蓋部１３Ｆの前端縁は、左右側板部１３Ｃ，１３Ｄの前端部の傾斜面を延長した平面上に形成されている。上蓋部１３Ｆの前端縁は、前ケース部１２の背面に形成された開口端部の上端及び左右両端に連続している。
【００２８】
前ケース部１２の左端は、後ケース部１３の最左端（上蓋部１３Ｆの左端）よりも左方まで延びている。前ケース部１２の右端は、後ケース部１３の最右端（上蓋部１３Ｆの右端）よりも右方まで延びている。前ケース部１２の上端は、後ケース部１３の上端よりも上方まで延びている。前ケース部１２の下端は、後ケース部１３の前板部１３Ｅの上端まで延びている。
【００２９】
血管年齢測定器８は、人体の脈波を検出するとともに、検出した脈波に基づいて血管年齢を測定する装置である。血管年齢測定器８は、図５〜図７に示すように、ケース２１と、脈波センサ２４と、表示部２６とを有している。ケース２１は、例えば合成樹脂製であり、前ケース部２２と後ケース部２３とを有している。
【００３０】
前ケース部２２は、背面が大きく開口した箱状をなしており、その開口端部は後ケース部２３に連続している。背面に形成された開口部分の左端は右端と比較して左右方向中央寄りに形成されている。前ケース部２２は正面視で略方形である。前ケース部２２の奥行は、前ケース部２２の高さよりも小さい。前ケース部２２の前面は少し上方を向くように傾いている。前ケース部２２の前面の傾きは、リモコン６における前ケース部１２の前面の傾きと同じである。前ケース部２２の前面には開口部が形成されている。この開口部には脈波センサ２４及び表示部２６が設けられている。
【００３１】
脈波センサ２４は表示部２６の下方に配置されている。脈波センサ２４は、脈波センサ２４の表面に置かれた指の脈波を検出する。表示部２６は、例えば液晶表示器であり、脈波に基づいて測定された結果等を表示する。
【００３２】
前ケース部２２の上面及び左右側面は、前面の上端縁及び左右両端縁から後方へ延びている。前ケース部２２の下面は、前面の下端縁から後方に向けて下方に傾斜している。前ケース部２２の背面は、前面と同じように傾斜している。
【００３３】
後ケース部２３は、底板部２３Ａと、背板部２３Ｂと、左側板部２３Ｃと、右側板部２３Ｄと、前板部２３Ｅと、上蓋部２３Ｆとを有している。底板部２３Ａは、後ケース部２３の底面を構成している。底板部２３Ａは、平面視で左右方向に長い長方形状である。
【００３４】
背板部２３Ｂは、底板部２３Ａの後端縁から略直角に起立している。背板部２３Ｂは背面視で上下方向に長い長方形状である。
【００３５】
左右側板部２３Ｃ，２３Ｄは、底板部２３Ａの左右両端縁からそれぞれ略直角に起立している。左右側板部２３Ｃ，２３Ｄの後端縁は、背板部２３Ｂの左右両端縁に連続している。左右側板部２３Ｃ，２３Ｄは左右対称の形状である。左右側板部２３Ｃ，２３Ｄは、側面視で、上端縁及び下端縁が水平方向に平行であり、後端縁が上端縁及び下端縁に直交しており、前端縁の大部分が前方に向けて下るように傾斜した略台形状をなしている。左右側板部２３Ｃ，２３Ｄの前端部における傾斜部分の傾きは、前ケース部２２の背面及び前面の傾きと同じである。左右側板部２３Ｃ，２３Ｄの前後幅は、高さよりも小さい。
【００３６】
左右側板部２３Ｃ，２３Ｄの外面の後端部には、上下方向に延びる溝部２３Ｇが形成されている。溝部２３Ｇは左右側板部２３Ｃ，２３Ｄの下端縁から上方に向けて延びている。左右側板部２３Ｃ，２３Ｄの溝部２３Ｇの後側には、左右方向外側に突出して上下方向に延びるスライド部２３Ｈが形成されている。スライド部２３Ｈは、リブ状であり、左右側板部２３Ｃ，２３Ｄの下端縁から上方に向けて延びている。左右側板部２３Ｃ，２３Ｄの前端部における傾斜部分は、前ケース部２２の背面に形成された開口端部の左右両端に連続している。
【００３７】
前板部２３Ｅは、底板部２３Ａの前端縁から略直角に起立している。前板部２３Ｅは、正面視で左右方向に長い長方形状である。前板部２３Ｅの上端の高さ位置は、背板部２３Ｂの上端の高さ位置よりも低い。前板部２３Ｅの左右両端縁は、左右側板部２３Ｃ，２３Ｄの前端縁における傾斜していない部分に連続している。前板部２３Ｅの上端縁は、前ケース部２２の背面に形成された開口端部の下端に連続している。
【００３８】
上蓋部２３Ｆは、背板部２３Ｂ及び左右側板部２３Ｃ，２３Ｄの上側に連続して設けられている。上蓋部２３Ｆは、背板部２３Ｂ及び左右側板部２３Ｃ，２３Ｄの上端縁全体に亘り、背板部２３Ｂの後面に対して後方に突出し、左右側板部２３Ｃ，２３Ｄの外面に対して左右方向外側に突出している。上蓋部２３Ｆの前端縁は、左右側板部２３Ｃ，２３Ｄの前端部の傾斜面を延長した平面上に形成されている。上蓋部２３Ｆの前端縁は、前ケース部２２の背面に形成された開口端部の上端及び左右両端に連続している。
【００３９】
前ケース部２２の左端は、後ケース部２３の最左端（上蓋部１３Ｆの左端）よりも左方まで延びている。前ケース部２２の右端は、後ケース部２３の最右端（上蓋部２３Ｆの右端）よりも右方まで延びている。前ケース部２２の上端は、正面視で、後ケース部２３の上端よりも上方まで延びている。前ケース部２２の下端は、正面視で、後ケース部２３の前板部２３Ｅの上端まで延びている。
【００４０】
リモコン６と血管年齢測定器８は、側面視で形状及び大きさが同じである。リモコン６の左右方向の幅は、血管年齢測定器８の左右方向の幅よりも大きい。
【００４１】
続いて、リモコン６及び血管年齢測定器８が取り付けられる壁付けホルダ１０について説明する。
【００４２】
壁付けホルダ１０は、図１に示すように、便器装置２の便座２Ｂに着座した使用者から見て側方（ここでは右側）の壁面Ｗに固定されている。また、壁付けホルダ１０は、トイレットペーパーホルダ４の上方に配置されている。壁付けホルダ１０は、トイレットペーパーホルダ４とともに、便器装置２の便座２Ｂに着座した使用者の手が届く範囲に設置されている。
【００４３】
壁付けホルダ１０は、図８に示すように、リモコン取付部材５０と電子機器取付部材７０とを備えている。リモコン取付部材５０は、リモコン６が取り付けられるリモコン取付部５１と、背板部５４とを有している。リモコン取付部５１は、底板部５２と、左側板部５６と、右側板部５８と、前板部６０と、ガイド部６４とを有しており、背板部５４の外周縁から前方へ枠状に突出した形態である。リモコン取付部５１は、上方及び前方に開放した容器状をなしている。
【００４４】
底板部５２は、リモコン取付部５１の底面を構成している。底板部５２は、平面視で左右方向に長い長方形状である。
【００４５】
背板部５４は底板部５２の後端縁から略直角に起立している。背板部５４は、正面視で左右方向に長い略長方形状であり、上端部の左右方向中央には略方形に切り欠かれた切欠部５５が形成されている。背板部５４には、壁面Ｗのネジ孔ＷＨにねじ込まれるネジ６３を貫通させる貫通孔６２が形成されている。
【００４６】
貫通孔６２は、左右方向に長い長円形状をなしている。貫通孔６２は複数（ここでは４つ）形成されている。全ての貫通孔６２は左右方向に一直線上に配置されている。貫通孔６２は、上下方向中央よりも上方に配置されている。貫通孔６２は、切欠部５５の下端よりも下方に配置されている。４つの貫通孔６２のうち、２つの貫通孔６２は、切欠部５５の右端よりも右方に配置されており、残り２つの貫通孔６２は切欠部５５の左端よりも左方に配置されている。リモコン取付部５１の底面を基準とした貫通孔６２の上端の高さ位置は、リモコン６の下端を基準とした凹部１３Ｉの上端縁の高さ位置よりも低い。また、貫通孔６２の左右幅は、リモコン６の凹部１３Ｉの左右幅よりも小さい。貫通孔６２とリモコン６の凹部１３Ｉとは、左右方向において対応する位置関係に配置されている。
【００４７】
左右側板部５６，５８は底板部５２の左右両端縁からそれぞれ略直角に起立している。左右側板部５６，５８の後端縁は背板部５４の左右両端縁に連続している。右側板部５８は、後述の挿通孔６６が形成されている点を除いて、左側板部５６と左右対称の形状である。左右側板部５６，５８は、側面視で、上端縁及び下端縁が水平方向に平行であり、後端縁が上端縁及び下端縁に対して直交しており、前端縁の大部分が前方に向けて下るように傾斜した略台形状をなしている。左右側板部５６，５８の前後幅は、左右側板部５６，５８の高さよりも小さい。
【００４８】
右側板部５８には、ネジ８６が貫通される複数（ここでは２つ）の挿通孔６６が形成されている。挿通孔６６は、ガイド部６４よりも前方に配置されている。全ての挿通孔６６は、上下方向に一直線上に配置されている。
【００４９】
前板部６０は底板部５２の前端縁から起立している。前板部６０は、正面視で左右方向に長い長方形状をなしている。前板部６０の上端の高さ位置は、背板部５４の最上端の高さ位置よりも低い。前板部６０の左端縁は左側板部５６の前端縁の傾斜していない部分に連続しており、前板部６０の右端縁は右側板部５８の前端縁の傾斜していない部分に連続している。
【００５０】
底板部５２、背板部５４、左右側板部５６，５８及び前板部６０に囲まれて形成される収容部の断面は、側面視で、後ケース部１３の上蓋部１３Ｆを除いた部分と形状が略同一で、後ケース部１３の上蓋部１３Ｆを除いた部分よりも前後方向の幅が僅かに大きい。左側板部５６の内面と右側板部５８の内面との間隔は、後ケース部１３の上蓋部１３Ｆを除いた部分における左右方向の幅よりも僅かに大きい。
【００５１】
ガイド部６４は、左右側板部５６，５８の後端部に上下一対ずつ設けられている。ガイド部６４は、左右側板部５６，５８から左右方向内側に向けて突出して、上下方向に延びている。ガイド部６４と背板部５４との間には、リモコン６のスライド部１３Ｈが挿通される隙間が形成されている。ガイド部６４を構成する部材の厚みは、リモコン６の溝部１３Ｇの前後方向の幅よりも僅かに小さい。
【００５２】
リモコン６の前ケース部１２の左右幅は、リモコン取付部材５０（リモコン取付部５１）の左右幅と同一である。リモコン６の前ケース部１２の上下幅は、リモコン取付部材５０（リモコン取付部５１）の前板部６０の上端から背板部５４の最上端までの上下幅よりも大きい。
【００５３】
電子機器取付部材７０は、血管年齢測定器８が取り付けられる電子機器取付部７１と、背板部７４とを有している。電子機器取付部７１は、底板部７２と、左側板部７６と、右側板部７８と、前板部８０と、ガイド部８２とを有しており、背板部７４の外周縁から前方へ枠状に突出した形態である。電子機器取付部７１は、上方及び前方に開放した容器状をなしている。
【００５４】
底板部７２は電子機器取付部７１の底面を構成している。底板部７２は平面視で左右方向に長い長方形状である。底板部７２の前後方向の長さは、リモコン取付部５１における底板部５２の前後方向の長さと同じである。
【００５５】
背板部７４は底板部７２の後端縁から略直角に起立している。背板部７４は正面視で上下方向に長い略長方形状である。背板部７４の上下幅は、リモコン取付部材５０の背板部５４の最大上下幅と同じである。なお、背板部７４には、壁面Ｗのネジ孔ＷＨにねじ込まれるネジを貫通させる貫通孔が形成されていない。
【００５６】
左右側板部７６，７８は底板部７２の左右両端縁から略直角に起立している。左右側板部７６，７８の後端縁は、背板部７４の左右両端縁に連続している。左右側板部７６，７８は左右対称の形状である。左右側板部７６，７８は、側面視で、上端縁及び下端縁が水平方向に平行であり、後端縁が上端縁及び下端縁に対して直交しており、前端縁の大部分が前方に向けて下るように傾斜した略台形状をなしている。左右側板部７６，７８は、リモコン取付部５１の左右側板部５６，５８とそれぞれ形状及び大きさが同一である。左右側板部７６，７８の前後幅は、左右側板部７６，７８の高さよりも小さい。
【００５７】
前板部８０は底板部７２の前端縁から起立している。前板部８０は正面視で左右方向に長い略長方形状をなしている。前板部８０の上端の高さ位置は、背板部７４の上端の高さ位置よりも低い。前板部８０の左端縁は左側板部７６の前端縁の傾斜していない部分に連続しており、前板部８０の右端縁は右側板部７８の前端縁の傾斜していない部分に連続している。前板部８０の上下幅は、リモコン取付部５１の前板部６０の上下幅と同一である。
【００５８】
底板部７２、背板部７４、左右側板部７６，７８及び前板部８０に囲まれて形成される収容部の断面は、側面視で、後ケース部２３の上蓋部２３Ｆを除いた部分と形状が略同一で、後ケース部２３の上蓋部２３Ｆを除いた部分よりも前後方向の幅が僅かに大きい。左側板部７６の内面と右側板部７８の内面との間隔は、後ケース部２３の上蓋部２３Ｆを除いた部分における左右方向の幅よりも僅かに大きい。
【００５９】
ガイド部８２は、左右側板部７６，７８の後端部に上下一対ずつ設けられている。ガイド部８２は、左右側板部７６，７８から左右方向内側に向けて突出して、上下方向に延びている。ガイド部８２と背板部７４との間には、スライド部２３Ｈが挿通される隙間が形成されている。ガイド部８２を構成する部材の厚みは、血管年齢測定器８の溝部２３Ｇの前後方向の幅よりも僅かに小さい。
【００６０】
左側板部７６（電子機器取付部７１）の左側面には、左方に延びる複数（ここでは）の円筒部８４が設けられている。円筒部８４は、電子機器取付部材７０がリモコン取付部材５０の右側に配置された状態で、円筒部８４の内側の孔がリモコン取付部材５０の挿通孔６６と同軸状に整合するように形成されている。円筒部８４の内周面にはネジ８６がねじ込まれるネジ溝が形成されている。
【００６１】
血管年齢測定器８の左右幅は、電子機器取付部材７０の左右幅（円筒部８４の左端から電子機器取付部７１の右端までの幅）と同一である。血管年齢測定器８の前ケース部２２の上下幅は、電子機器取付部材７０の前板部８０の上端から背板部７４の上端までの上下幅よりも大きい。また、側面視において、リモコン取付部材５０と電子機器取付部材７０は、形状及び大きさが同一である。
【００６２】
続いて、壁付けホルダ１０の使用形態について説明する。壁付けホルダ１０は、リモコン取付部材５０の挿通孔６６に対して左方から貫通したネジ８６が、電子機器取付部材７０の円筒部８４に形成されたネジ溝にねじ込まれることによって、リモコン取付部材５０と電子機器取付部材７０とが合体して組み立てられる。壁付けホルダ１０が組み立てられた状態では、電子機器取付部材７０の円筒部８４の先端（左端）がリモコン取付部材５０の右側面に接した状態となる。すなわち、円筒部８４をスペーサとして、リモコン取付部５１と電子機器取付部７１との間に間隔が形成される。また、壁付けホルダ１０が組み立てられた状態では、リモコン取付部材５０及び電子機器取付部材７０は、最上端の高さ位置が揃い、下端の高さ位置も揃い、後端の前後方向の位置も揃い、前端の前後方向の位置も揃う。
【００６３】
組み立てられた壁付けホルダ１０は、貫通孔６２を貫通したネジ６３が壁面Ｗのネジ孔ＷＨにねじ込まれることによって壁面Ｗに固定される。すなわち、電子機器取付部材７０はリモコン取付部材５０を介して壁面Ｗに固定される。壁付けホルダ１０は、壁面Ｗに固定された状態では、背面が壁面Ｗに接した状態となる。
【００６４】
リモコン６及び血管年齢測定器８は、壁面Ｗに固定された壁付けホルダ１０に対して取り付けられる。リモコン６は、図９及び図１０に示すように、スライド部１３Ｈがガイド部６４と背板部５４との間に上方から差し込まれることによって、リモコン取付部５１に取り付けられる。リモコン６がリモコン取付部５１に取り付けられると、以下のような状態となる。
【００６５】
リモコン取付部５１にリモコン６の後ケース部１３が上蓋部１３Ｆを除いて嵌め込まれた状態となる。壁面Ｗにねじ込まれたネジ６３のネジ頭は、凹部１３Ｉ内に収まる。リモコン６の背面が、リモコン取付部材５０の背板部５４の前面に接する。リモコン６の後ケース部１３の底板部１３Ａはリモコン取付部５１の底板部５２によって支持される。リモコン６の後ケース部１３の上蓋部１３Ｆは、リモコン取付部材５０の背板部５４及び左右側板部５６，５８の上端によって支持される。リモコン６の前ケース部１２の背面は、リモコン取付部５１の左右側板部５６，５８及び前板部６０によって支持される。
【００６６】
血管年齢測定器８は、スライド部２３Ｈがガイド部８２と背板部７４との間に上方から差し込まれることによって、電子機器取付部７１に取り付けられる。血管年齢測定器８が電子機器取付部７１に取り付けられると、以下のような状態となる。
【００６７】
電子機器取付部７１に血管年齢測定器８の後ケース部２３が上蓋部２３Ｆを除いて嵌め込まれた状態となる。血管年齢測定器８の背面が、電子機器取付部材７０の背板部７４の前面に接する。血管年齢測定器８の後ケース部２３の底板部２３Ａは電子機器取付部７１の底板部７２によって支持される。血管年齢測定器８の後ケース部２３の上蓋部２３Ｆは、電子機器取付部材７０の背板部７４及び左右側板部７６，７８の上端によって支持される。血管年齢測定器８の前ケース部２２の背面は、電子機器取付部７１の左右側板部７６，７８及び前板部８０によって支持される。
【００６８】
また、リモコン６は、図１１（Ａ）に示すように、リモコン取付部５１に取り付けられた状態では、下端がリモコン取付部５１の前板部６０の上端よりも下方まで延びており、左端が背板部５４の内面の左端よりも左方まで延びており、右端が背板部５４の内面の右端よりも右方まで延びており、上端が背板部５４の最上端よりも上方まで延びている。このため、壁付けホルダ１０に形成された全ての貫通孔６２は、正面から見た投影面において、リモコン６に隠される。すなわち、壁面Ｗに形成されたネジ孔ＷＨもリモコン６に隠される。
【００６９】
従って、図１１（Ｂ）に示すように、壁付けホルダ１０から電子機器取付部材７０を取り外した場合であっても、正面から見た投影面において、全ての貫通孔６２及び壁面Ｗの全てのネジ孔ＷＨはリモコン６に隠される。
【００７０】
また、図１１（Ａ）に示すように、壁付けホルダ１０に取り付けられたリモコン６及び血管年齢測定器８は、上端の高さ位置が揃い、下端の高さ位置も揃い、前端の前後方向の位置も揃い、後端の前後方向の位置も揃う。リモコン６の前ケース部１２の右端は、リモコン取付部材５０の右端と左右方向の位置が揃い、血管年齢測定器８の前ケース部２２の左端は、電子機器取付部材７０の左端と左右方向に位置が揃う。このため、リモコン６と血管年齢測定器８が隣接して配置され、円筒部８４も隠される。
【００７１】
また、リモコン６の前ケース部１２の左端面は、壁付けホルダ１０（リモコン取付部材５０）の左端面と面一となり、血管年齢測定器８の前ケース部２２の右端面は、壁付けホルダ１０（電子機器取付部材７０）の右端面と面一となる。さらに、電子機器取付部材７０を取り外した場合においては、図１１（Ｂ）に示すように、リモコン６の前ケース部１２の右端面が、リモコン取付部材５０の右端面と面一となる。
【００７２】
以上説明したように、実施例１の壁付けホルダ１０は、リモコン取付部５１を有するリモコン取付部材５０と、電子機器取付部７１を有する電子機器取付部材７０と、を備え、壁面Ｗにねじ込まれるネジ６３を貫通させる貫通孔６２が、リモコン取付部５１に取り付けられた状態のリモコン６で隠れる領域にのみ形成されている。この壁付けホルダ１０は、貫通孔６２に貫通されたネジ６３のねじ込みにより壁面Ｗに固定される。貫通孔６２はリモコン取付部５１に取り付けられた状態のリモコン６で隠れる領域にのみ形成されているので、壁側に形成されたネジ孔ＷＨもリモコン６で隠れる領域のみに限定される。したがって、血管年齢測定器８が不要となってリモコン取付部材５０から電子機器取付部材７０を取り外した場合であっても、壁側にはネジ孔ＷＨが露出せず、意匠性が低下するおそれはない。
【００７３】
また、壁付けホルダ１０では、電子機器取付部材７０は、リモコン取付部材５０とは別体であり、リモコン取付部材５０に対して着脱自在である。このため、血管年齢測定器８の必要の有無に応じて、電子機器取付部材７０を着脱することができる。
【００７４】
また、壁付けホルダ１０では、電子機器取付部材７０は、リモコン取付部材５０に対してネジ止めされる。このため、電子機器取付部材７０がリモコン取付部材５０に対して容易に着脱することができる。
【００７５】
また、壁付けホルダ１０では、リモコン取付部５１の右側板部５８には、ネジ８６が挿通される挿通孔６６が形成されており、電子機器取付部７１の左側板部７６の外面には、左側に突出した円筒部８４が設けられている。そして、円筒部８４の内側の孔は、リモコン取付部材５０と電子機器取付部材７０とが合体した状態において、挿通孔６６と同軸状に整合するように形成されている。また、円筒部８４の内周面にはネジ溝が形成されている。このため、電子機器取付部材７０がリモコン取付部材５０にネジ止めされる際、円筒部８４の内側において螺合されるので、ネジ８６が電子機器取付部７１の内側まで進入することによって血管年齢測定器８と干渉することを防止することができる。
【００７６】
＜実施例２＞
実施例２の壁付けホルダ１１０は、図１４に示すように、電子機器取付部材１７０がリモコン取付部材１５０に固定されるのではなく、リモコン取付部材１５０と壁面Ｗのネジ孔ＷＨに共締めされる点で、実施例１の壁付けホルダ１０とは異なる。なお、実施例１と同一の構成は同一の符号を付し、詳細な説明を省略する。
【００７７】
本発明の「電子機器」に相当する血管年齢測定器１０８は、図１２及び図１３に示すように、ケース１２１と、脈波センサ２４と、表示部２６とを有している。ケース１２１は、前ケース部１２２と、後ケース部１２３とを有している。前ケース部１２２は、背面に形成された開口部分の左端が、前ケース部１２２の左端寄りに形成されている点で、実施例１の前ケース部２２と異なる。後ケース部１２３は、底板部１２３Ａと、背板部１２３Ｂと、左側板部２３Ｃと、右側板部２３Ｄと、前板部１２３Ｅと、上蓋部１２３Ｆとを有している。後ケース部１２３（底板部１２３Ａ、背板部１２３Ｂ及び前板部１２３Ｅ）は、左端が前ケース部１２２の左端寄りに形成されている点で、実施例１の後ケース部２３と異なる。
【００７８】
壁付けホルダ１１０は、図１４に示すように、リモコン取付部材１５０と、電子機器取付部材１７０とを備えている。リモコン取付部材１５０は、リモコン６が取り付けられるリモコン取付部１５１と、背板部５４とを有している。リモコン取付部１５１は、底板部５２と、左側板部５６と、右側板部１５８と、前板部６０と、ガイド部６４とを有している。右側板部１５８は、挿通孔６６が形成されていない点で、実施例１におけるリモコン取付部５１の右側板部５８と異なる。すなわち、リモコン取付部１５１は、挿通孔６６が形成されていないリモコン取付部５１と同一である。
【００７９】
電子機器取付部材１７０は、血管年齢測定器１０８が取り付けられる電子機器取付部１７１と、背板部１７４とを有している。電子機器取付部１７１は、底板部１７２と、左側板部１７６と、右側板部７８と、前板部１８０と、ガイド部８２とを有している。電子機器取付部材１７０は、円筒部８４を有していない点と、電子機器取付部１７１（底板部１７２及び前板部１８０）と背板部１７４の左右幅が広がっている点で、実施例１の電子機器取付部材７０と異なる。
【００８０】
血管年齢測定器１０８の後ケース部１２３の左右幅は、電子機器取付部１７１の左側板部１７６の内面と右側板部７８の内面との間隔よりも僅かに小さい。血管年齢測定器１０８の前ケース部１２２の左右幅は、電子機器取付部１７１の左右幅と同一である。
【００８１】
電子機器取付部材１７０は、延設部１８４を備えている。延設部１８４は、左側板部１７６（電子機器取付部１７１）の後面から連続して左側に延びている。延設部１８４は、平板状であり、正面視で左右方向に長い略長方形状をなしている。延設部１８４の上端の高さ位置は、電子機器取付部１７１の上端の高さ位置よりも低い。延設部１８４の下端の高さ位置は、電子機器取付部１７１の下端の高さ位置よりも高い。電子機器取付部１７１の左側面を基準とした延設部１８４の左方への出幅は、リモコン取付部１５１の左右幅よりも小さい。
【００８２】
延設部１８４には、複数（ここでは２つ）の貫通孔１８６が形成されている。貫通孔１８６は、断面形状が貫通孔６２と同じく、左右方向に長い長円形状である。貫通孔１８６は、図１５に示すように、電子機器取付部１７１がリモコン取付部材１５０の右側に配置された状態で、リモコン取付部材１５０の貫通孔６２と前後方向に並ぶように形成されている。なお、貫通孔６２が本発明の「第１貫通孔」に相当し、貫通孔１８６が本発明の「第２貫通孔」に相当する。
【００８３】
全ての貫通孔１８６が貫通孔６２と前後方向に並んだ状態では、以下のような状態となる。すなわち、リモコン取付部１５１の右側面と、電子機器取付部１７１の左側面が接する。リモコン取付部１５１と電子機器取付部１７１は、上端の高さ位置が揃い、下端の高さ位置も揃い、前端の前後方向の位置も揃い、後端の前後方向の位置も揃う。背板部５４と背板部１７４の最上端の高さ位置も揃う。延設部１８４の左端は、リモコン取付部１５１の切欠部５５の右端よりも左方には突出しない。
【００８４】
なお、壁付けホルダ１１０、リモコン６及び血管年齢測定器１０８によって、リモコン装置１０９（図１６参照）が構成されている。また、リモコン装置１０９、便器装置２及び電動装置３によって、本発明の「トイレ装置」が構成されている。
【００８５】
続いて、壁付けホルダ１１０の使用形態について説明する。リモコン取付部材１５０及び電子機器取付部材１７０を壁面Ｗに固定する場合には、電子機器取付部１７１をリモコン取付部１５１の右側に配置するとともに、延設部１８４の貫通孔１８６がリモコン取付部１５１の貫通孔６２と前後方向に並ぶ位置で、リモコン取付部材１５０と電子機器取付部材１７０を合体させる。このように合体した状態で、貫通孔１８６及び貫通孔６２にネジ６３を貫通させ、壁面Ｗのネジ孔ＷＨにねじ込む。こうすることで、リモコン取付部材１５０及び電子機器取付部材１７０が壁面Ｗに固定される。
【００８６】
リモコン取付部材１５０及び電子機器取付部材１７０が壁面Ｗに固定された状態では、リモコン取付部１５１と電子機器取付部１７１は、上端の高さ位置が揃い、下端の高さ位置も揃い、前端の前後方向の位置も揃い、後端の前後方向の位置も揃う。また、背板部５４と背板部１７４は最上端の高さ位置が揃う。
【００８７】
壁面Ｗに固定された壁付けホルダ１１０には、実施例１の壁付けホルダ１０の場合と同様に、リモコン６及び血管年齢測定器１０８が取り付けられる。
【００８８】
リモコン６は、図１６（Ａ）に示すように、リモコン取付部１５１に取り付けられた状態では、下端がリモコン取付部１５１の前板部６０の上端よりも下方まで延びており、左端が背板部５４の内面の左端よりも左方まで延びており、右端が背板部５４の内面の右端よりも右方まで延びており、上端が背板部５４の最上端よりも上方まで延びている。このため、壁付けホルダ１０に形成された全ての貫通孔６２は、正面から見た投影面において、リモコン６に隠される。また、電子機器取付部材１７０がリモコン取付部材１５０とともに壁面Ｗに固定された状態では、貫通孔１８６は貫通孔６２と前後方向に並ぶので、貫通孔１８６もリモコン６に隠される。すなわち、全ての貫通孔１８６及び貫通孔６２はリモコン６によって隠されるので、壁面Ｗに形成されたネジ孔ＷＨもリモコン６に隠される。
【００８９】
これに対して、リモコン取付部材１５０のみを壁面Ｗに固定させる場合には、リモコン取付部材１５０の貫通孔６２だけにネジ６３を貫通させて、壁面Ｗのネジ孔ＷＨにねじ込む。こうすることで、リモコン取付部材１５０だけが壁面Ｗに固定される。このリモコン取付部材１５０にリモコン６を取り付けた場合にも、図１６（Ｂ）に示すように、壁面Ｗに形成された全てのネジ孔ＷＨはリモコン６に隠される。
【００９０】
また、図１６（Ａ）に示すように、壁付けホルダ１０に取り付けられたリモコン６及び血管年齢測定器１０８は、上端の高さ位置が揃い、下端の高さ位置も揃い、前端の前後方向の位置も揃い、後端の前後方向の位置も揃う。リモコン６の前ケース部１２の右端は、リモコン取付部材１５０の右端と左右方向の位置が揃い、血管年齢測定器１０８の前ケース部１２２の左端は、電子機器取付部材１７０の左端と左右方向に位置が揃う。このため、リモコン６と血管年齢測定器８が隣接して配置される。
【００９１】
また、リモコン６の前ケース部１２の左端面は、壁付けホルダ１１０（リモコン取付部材１５０）の左端面と面一となり、血管年齢測定器１０８の前ケース部１２２の右端面は、壁付けホルダ１１０（電子機器取付部材１７０）の右端面と面一となる。さらに、リモコン取付部材１５０のみを壁面Ｗに固定させる場合においては、図１６（Ｂ）に示すように、リモコン６の前ケース部１２の右端面が、リモコン取付部材１５０の右端面と面一となる。
【００９２】
以上説明したように、実施例２の壁付けホルダ１１０は、リモコン取付部１５１を有するリモコン取付部材１５０と、電子機器取付部１７１を有する電子機器取付部材１７０と、を備え、壁面Ｗにねじ込まれるネジ６３を貫通させる貫通孔６２，１８６が、リモコン取付部５１に取り付けられた状態のリモコン６で隠れる領域にのみ形成されている。この壁付けホルダ１１０は、貫通孔６２，１８６に貫通されたネジ６３のねじ込みにより壁面Ｗに固定される。貫通孔６２はリモコン取付部５１に取り付けられた状態のリモコン６で隠れる領域にのみ形成されているので、壁側に形成されたネジ孔ＷＨもリモコン６で隠れる領域のみに限定される。したがって、血管年齢測定器１０８が不要となって電子機器取付部材１７０を取り外してリモコン取付部材１５０及びリモコン６のみを取り付けた場合であっても、壁側にはネジ孔ＷＨが露出せず、意匠性が低下するおそれはない。
【００９３】
また、壁付けホルダ１１０では、電子機器取付部材１７０は、リモコン取付部材１５０とは別体であり、リモコン取付部材１５０には貫通孔６２が形成されており、電子機器取付部材１７０は、電子機器取付部１７１がリモコン取付部材１５０の右側に配置された状態で、電子機器取付部１７１から左側に延びる延設部１８４を有しており、延設部１８４には貫通孔１８６が、電子機器取付部１７１がリモコン取付部材１５０の右側に配置された状態における貫通孔６２の前後方向に並ぶ位置に形成されている。このため、リモコン取付部材１５０を壁面Ｗにネジ止めする作業工程において電子機器取付部材１７０の壁面Ｗへの取付を同時に行うことができる。また、電子機器取付部材１７０が不要な場合には、リモコン取付部材１５０だけを壁面Ｗにネジ止めすることができる。
【００９４】
＜実施例３＞
実施例３の壁付けホルダ２１０は、図１７に示すように、リモコン取付部２５１及び電子機器取付部２７１が一体形成されて単一部品として形成されている点で、実施例１〜２の壁付けホルダとは異なる。なお、実施例２と同一の構成は同一の符号を付し、詳細な説明を省略する。
【００９５】
壁付けホルダ２１０は、図１７に示すように、底板部５２と、背板部５４と、左側板部５６と、仕切板部２５８と、前板部６０と、ガイド部６４とを有している。底板部５２、左側板部５６、仕切板部２５８、前板部６０及びガイド部６４は、仕切板部２５８を右側板部として、リモコン６が取り付けられるリモコン取付部２５１を構成している。すなわち、仕切板部２５８は、底板部５２の右端縁から略直角に起立している。仕切板部２５８の後端縁は、背板部５４の右端縁に連続している。仕切板部２５８は、側面視で、上端縁及び下端縁が水平方向に平行であり、後端縁が上端縁及び下端縁に直交しており、前端縁の大部分が前方に向かって下るように傾斜した略台形状をなしている。前端縁の傾きは、リモコン６の前面及び背面の傾きと同一である。仕切板部２５８の前端縁の傾斜していない部分は、前板部６０の右端縁に連続している。仕切板部２５８の左右幅は、実施例２におけるリモコン取付部１５１の右側板部５８の左右幅の略２倍である。
【００９６】
また、壁付けホルダ２１０は、底板部１７２と、背板部１７４と、右側板部７８と、前板部１８０と、ガイド部８２とを有している。底板部１７２、仕切板部２５８、右側板部７８、前板部１８０及びガイド部８２は、仕切板部２５８を左側板部として、血管年齢測定器１０８が取り付けられる電子機器取付部２７１を構成している。すなわち、仕切板部２５８の下端縁には、底板部１７２の左端縁が連続している。仕切板部２５８の後端縁には、背板部１７４の左端縁が連続している。仕切板部２５８の前端縁の傾斜していない部分には、前板部１８０の左端縁が連続している。このように、壁付けホルダ２１０では、リモコン取付部２５１と電子機器取付部２７１とが一体形成されて単一部品として形成されている。
【００９７】
リモコン取付部２５１と電子機器取付部２７１は、上端の高さ位置が揃っており、下端の高さ位置も揃っており、前端の前後方向の位置も揃っており、後端の前後方向の位置も揃っている。また、背板部５４と背板部１７４は、最上端の高さ位置が揃っている。
【００９８】
リモコン専用ホルダ３１０は、図１８に示すように、リモコン取付部３５１及び背板部５４を有している。リモコン取付部３５１は、リモコン取付部１５１と形状及び大きさが同一である。
【００９９】
なお、壁付けホルダ２１０、リモコン６及び血管年齢測定器１０８によって、リモコン装置２０９（図１９参照）が構成されている。また、リモコン装置２０９、便器装置２及び電動装置３によって、本発明の「トイレ装置」が構成されている。
【０１００】
続いて、壁付けホルダ２１０の使用形態について説明する。リモコン６とともに血管年齢測定器１０８を壁面Ｗに取り付けたい場合には、壁付けホルダ２１０を壁面Ｗに固定させる。この場合、壁付けホルダ２１０の貫通孔６２にネジ６３を貫通させ、ネジ６３を壁面Ｗのネジ孔ＷＨにねじ込ませる。こうすることで、壁付けホルダ２１０は壁面Ｗに固定される。壁面Ｗに固定された壁付けホルダ２１０には、実施例２の壁付けホルダ１１０の場合と同様に、リモコン６及び血管年齢測定器１０８が取り付けられる。
【０１０１】
リモコン６は、図１９（Ａ）に示すように、リモコン取付部２５１に取り付けられた状態では、下端がリモコン取付部２５１の前板部６０の上端よりも下方まで延びており、左端が背板部５４の内面の左端よりも左方まで延びており、右端が背板部５４の内面の右端よりも右方まで延びており、上端が背板部５４の最上端よりも上方まで延びている。このため、壁付けホルダ２１０に形成された全ての貫通孔６２は、正面から見た投影面において、リモコン６に隠される。すなわち、壁面Ｗに形成されたネジ孔ＷＨもリモコン６に隠される。
【０１０２】
これに対して、リモコン６のみを壁面Ｗに固定させる場合には、リモコン専用ホルダ３１０を壁面Ｗに固定させる。この場合、リモコン専用ホルダ３１０の貫通孔６２にネジ６３を貫通させ、ネジ６３を壁面Ｗのネジ孔ＷＨにねじ込ませる。こうすることで、リモコン専用ホルダ３１０は壁面Ｗに固定される。壁面Ｗに固定されたリモコン専用ホルダ３１０には、実施例２の壁付けホルダ１１０の場合と同様に、リモコン６が取り付けられる。
【０１０３】
リモコン専用ホルダ３１０のリモコン取付部３５１は、壁付けホルダ２１０のリモコン取付部１５１と形状及び大きさが同一である。このため、図１９（Ｂ）に示すように、壁付けホルダ２１０に形成された全ての貫通孔６２は、正面から見た投影面において、リモコン６に隠される。すなわち、壁面Ｗに形成された全てのネジ孔ＷＨはリモコン６に隠される。
【０１０４】
以上説明したように、実施例３の壁付けホルダ２１０は、リモコン６が取り付けられるリモコン取付部２５１と、血管年齢測定器１０８が取り付けられる電子機器取付部２７１と、を備え、壁面Ｗにねじ込まれるネジ６３を貫通させる貫通孔６２が、リモコン取付部２５１に取り付けられた状態のリモコン６で隠れる領域にのみ形成されている。この壁付けホルダ２１０は、貫通孔６２に貫通されたネジ６３のねじ込みにより壁面Ｗに固定される。貫通孔６２はリモコン取付部５１に取り付けられた状態のリモコン６で隠れる領域にのみ形成されているので、壁側に形成されたネジ孔ＷＨもリモコン６で隠れる領域のみに限定される。したがって、血管年齢測定器１０８が不要となって壁付けホルダ２１０をリモコン専用ホルダ３１０に取り換えた場合であっても、壁側にはネジ孔ＷＨが露出せず、意匠性が低下するおそれはない。
【０１０５】
＜他の実施例＞
（１）実施例１〜２では、電子機器取付部材をリモコン取付部材の右側に取り付けることができるようにしたが、左側に取り付けることができるようにしてもよい。すなわち、実施例１では、リモコン取付部材の左側板部と電子機器取付部材の右側板部とに貫通孔を形成するようにしてもよい。実施例２では、電子機器取付部材において、延設部が電子機器取付部から右側に延設されるようにしてもよい。
（２）実施例１では、電子機器取付部材を、リモコン取付部材の右側及び左側のいずれにも取り付けることができるようにしてもよい。すなわち、リモコン取付部材の左側板部及び右側板部と、電子機器取付部材の左側板部及び右側板部とにそれぞれ貫通孔を形成するようにしてもよい。
（３）実施例３では、壁付けホルダにおいて、電子機器取付部をリモコン取付部の右側に設けたが、リモコン取付部の左側に設けてもよい。
（４）実施例２では、電子機器取付部材において、電子機器取付部と延設部とを一体成型するようにしたが、電子機器取付部を有する部材と、延設部を有する部材とを別体としてもよい。
（５）実施例２では、背板部に形成された貫通孔と前後方向に並ぶ延設部に形成された貫通孔の数が２つであるが、３つ以上であってもよい。また、背板部に形成された貫通孔と前後方向に並ぶ延設部に形成された貫通孔の数が、背板部に形成された貫通孔の数よりも少ないが、背板部に形成された貫通孔の数と同じであってもよい。
（６）実施例２では、延設部が背板部の裏側に配置された状態で、リモコン取付部材と電子機器取付部材とが壁面に共締めされるようにした。しかし、延設部が背板部の前側に配置された状態で、リモコン取付部材と電子機器取付部材とが壁面に共締めされるようにしてもよい。この場合、延設部は、リモコン取付部材及び電子機器取付部材の右側板部や左側板部を貫通させて、背板部の前側に配置されるようにしてもよいし、右側板部や左側板部を上側から迂回させて、背板部の前側に配置されるようにしてもよい。
（７）実施例３のようにリモコン取付部と電子機器取付部とを一体成型する場合において、電子機器取付部をリモコン取付部に接続部を介して接続させてもよい。また、この接続部を破断しやすい構成（例えば平板状）にしてもよい。こうすれば、電子機器取付部が不要な場合には、接続部を破断させるだけで、電子機器取付部を容易に分離させることができる。また、接続部は、壁付けホルダが壁面に取り付けられた状態におけるリモコン取付部と電子機器取付部との壁側の端部同士を接続させることが好ましい。こうすれば、壁付けホルダが壁面に取り付けられた状態において、電子機器取付部の変形が壁面によって制限されるので、接続部に応力がかかりにくくなり、接続部の意図しない破断を抑制することができる。
（８）実施例１〜２では、電子機器取付部材をリモコン取付部材に固定した状態では、リモコン取付部と電子機器取付部は、上端、下端、後端、及び前端の位置が揃うように形成されている。しかし、リモコン取付部と電子機器取付部は、上端の高さ位置が揃わないようにしてもよいし、下端の高さ位置が揃わないようにしてもよいし、後端の前後方向の位置が揃わないようにしてもよいし、前端の前後方向に位置が揃わないようにしてもよい。また、リモコン取付部材の背板部と電子機器取付部材の背板部との最上端の高さ位置が揃わないようにしてもよい。
（９）実施例３では、リモコン取付部と電子機器取付部は、上端、下端、後端、及び前端の位置が揃うように形成されている。しかし、リモコン取付部と電子機器取付部は、上端の高さ位置が揃わないようにしてもよいし、下端の高さ位置が揃わないようにしてもよいし、後端の前後方向の位置が揃わないようにしてもよいし、前端の前後方向に位置が揃わないようにしてもよい。また、リモコン取付部側の背板部と電子機器取付部側の背板部との最上端の高さ位置が揃わないようにしてもよい。
（１０）実施例１〜３では、電子機器取付部材に取り付けられる電子機器を血管年齢測定器としたが、リモコン以外であれば、別の電子機器であってもよい。例えば、用便の際の音を隠すために便器流水音などの擬音を発生させる擬音装置であってもよいし、トイレ室外の者を呼び出すために操作される呼出装置であってもよい。
（１１）実施例１〜３では、貫通孔の断面形状を横長としたが、横長でなくてもよく、例えば円形としてもよい。
（１２）実施例１〜３では、背板部において、壁面にねじ込まれるネジを貫通させる複数の貫通孔を４つとしたが、２つや３つであってもよいし、５つ以上であってもよい。
（１３）実施例１〜３では、背板部において、壁面にねじ込まれるネジを貫通させる複数の貫通孔を左右方向に一直線上に形成したが、一直線上に形成しなくともよい。
【符号の説明】
【０１０６】
１…トイレ装置
２…便器装置
３…電動装置
６…リモコン
８，１０８…血管年齢測定器
９，１０９，２０９…リモコン装置
１０，１１０，２１０…壁付けホルダ
５０，１５０…リモコン取付部材
６５，１６５…リモコン取付部
６２…貫通孔
６６…挿通孔
７０，１７０…電子機器取付部材
８３，１８３…電子機器取付部
８４…円筒部
１８４…延設部
１８６…貫通孔
３１０…リモコン専用ホルダ
Ｗ…壁面
ＷＨ…ネジ孔
【図１】
2019082010.tif 000003
【図２】
2019082010.tif 000004
【図３】
2019082010.tif 000005
【図４】
2019082010.tif 000006
【図５】
2019082010.tif 000007
【図６】
2019082010.tif 000008
【図７】
2019082010.tif 000009
【図８】
2019082010.tif 000010
【図９】
2019082010.tif 000011
【図１０】
2019082010.tif 000012
【図１１】
2019082010.tif 000013
【図１２】
2019082010.tif 000014
【図１３】
2019082010.tif 000015
【図１４】
2019082010.tif 000016
【図１５】
2019082010.tif 000017
【図１６】
2019082010.tif 000018
【図１７】
2019082010.tif 000019
【図１８】
2019082010.tif 000020
【図１９】
2019082010.tif 000021